(57)【特許請求の範囲】
【請求項１】
被加熱器具を加熱体への通電により加熱する電気調理器において、加熱体と商用電源との着脱接続可能な電源接続部を、ボデーに置載した保護ケースに設け、前記保護ケースの電源接続部に温度ヒューズを抱え込む保持板を接続し、前記保持板によって温度ヒューズを保持する構成とし、前記保護ケースの電源接続部の一方に保持板を接続し、他方に温度ヒューズからのリード線を接続し、前記温度ヒューズは保持板により保持された構成とし、前記温度ヒューズの検知温度に達すると温度ヒューズ内のペレットが溶け前記加熱体への通電が切断される電気調理器。
【請求項２】
保護ケースの電源接続部の他方に接続された温度ヒューズを抱え込む他の保持板を有し、保持板と前記他の保持板とで一個の温度ヒューズを保持する構成とした請求項１記載の電気調理器。
【発明の詳細な説明】
【０００１】
【発明の属する技術分野】
本発明は一般家庭用として調理に用いられる電気調理器に関するものである。
【０００２】
【従来の技術】
以下、従来の技術について図９に基づいて説明する。図９において、１は被加熱器具であるプレート、２はプレートを置載し加熱するための加熱体であるヒーター。３はヒーターを置載し覆う遮熱板。４は商用電源からヒーターへの接続と温度調節とを行う通電制御具。５は遮熱板を覆うボデー。６はボデーに置載し、ヒーターへつながる電源接続部７を配する保護ケースである。
【０００３】
以上の構成において、保護ケースに設けたヒーターへつながる電源接続部に通電制御具を接続し、ヒーターの通電を行い、プレートが加熱される。この際、プレートに当接した通電制御具の温度感熱部により、ヒーターの通電制御を行い、プレートの温度を調節する。
【０００４】
【発明が解決しようとする課題】
しかしながら上記従来の構成では、調理物の汁などが付着した場合など、まれではあるが、電源接続部と通電制御部具との接続部の接触抵抗が上昇し、発熱が起こり、通電制御具を破損させてしまうという課題があった。
【０００５】
本発明はこのような従来の課題を解決するための、電源接続部と通電制御具との接触抵抗上昇による発熱を検知し、温度ヒューズの切断により通電を停止する電気調理器を提供することを目的とする。
【０００６】
【課題を解決するための手段】
上記課題を解決するために本発明は、保護ケースの電源接続部に温度ヒューズを抱え込む保持板を接続し、前記保持板によって温度ヒューズを保持する構成とし、前記保護ケースの電源接続部の一方に保持板を接続し、他方に温度ヒューズからのリード線を接続し、前記温度ヒューズは保持板により保持された構成とし、前記温度ヒューズの検知温度に達すると温度ヒューズ内のペレットが溶け前記加熱体への通電が切断されることにより、接触抵抗の上昇により電源接続部で発生する熱を温度ヒューズに熱伝導させ、温度ヒューズの温度検知および通電切断動作により通電を停止し、通電制御具の破損を防止することができるとともに、温度ヒューズ保持構成を簡素化でき、異極である電源接続部からの温度ヒューズへの熱伝導構成を簡素化でき、異極間の絶縁距離を十分確保することができる。また、温度ヒューズと保持板の密着をよくすることができ温度検知感度を向上することができる。
【０００７】
【発明の実施の形態】
上記課題を解決するために請求項１記載の発明は、保護ケースの電源接続部に温度ヒューズを抱え込む保持板を接続し、前記保持板によって温度ヒューズを保持する構成とし、前記保護ケースの電源接続部の一方に保持板を接続し、他方に温度ヒューズからのリード線を接続し、前記温度ヒューズは保持板により保持された構成とし、前記温度ヒューズの検知温度に達すると温度ヒューズ内のペレットが溶け前記加熱体への通電が切断されるものである。前記保持板により、接触抵抗の上昇により各電源接続部で発生する熱を温度ヒューズに熱伝導させ、温度ヒューズの温度検知および通電切断動作により通電を停止し、通電制御具の破損を防止することができるとともに、温度ヒューズ保持構成を簡素化でき、異極である電源接続部からの温度ヒューズへの熱伝導構成による異極間の絶縁距離を十分確保することができる。また、温度ヒューズと保持板の密着をよくすることができ温度検知感度を向上することができる。
【０００８】
請求項２に記載の発明は、保護ケースの電源接続部の他方に接続された温度ヒューズを抱え込む他の保持板を有し、保持板と前記他の保持板とで一個の温度ヒューズを保持する構成ととすることにより、接触抵抗の上昇によって各電源接続部で発生する熱を一個の温度ヒューズに熱伝導させ、温度ヒューズの温度検知および通電切断動作により通電を停止し、通電制御具の破損を防止することができるとともに、温度ヒューズを１本とできることで、感度ばらつきがなく、コストを低減することができる。また、温度ヒューズと保持板の密着をよくすることができ温度検知感度を向上することができる。
【０００９】
【実施例】
以下本発明の実施例について図面を参照して説明する。
【００１０】
（実施例１）
第１の実施例について説明する。図１および図２において、１１は調理物を載せて調理を行う被加熱器具であるプレート、１２はプレート１１を置載し、加熱する加熱体であるヒーター、１３はヒーター１２を支持しかつ覆う遮熱板、１４は商用電源からヒーター１２への接続部１５と温度調節を行う温度調節部１６とを有する通電制御具、１７は通電制御具１４とヒーター１２への電源接続をおこなう保護ケース、１８は保護ケース１７に設けた電源接続部、１９は電源接続部１８に締め付けられた弾性物質よりなる保持板であり、本実施例では弾性物質はバネ性燐青銅を用いる。２０は保持板１９によって保持された温度ヒューズ、２１は、遮熱板１３を覆い、保護ケース１７を置載するボデーである。
【００１１】
ここで、保持板１９は保護ケース１７の各電源接続部１８ごとに締め付けをおこない、それぞれの保持板１９で一個の温度ヒューズ２０を保持する。またさらに、温度ヒューズ２０は保持板１９により抱え込む。
【００１２】
上記構成において、調理物を載せて調理を行うプレート１１は、遮熱板１３により覆われ支持されたヒーター１２の上に置載して加熱される。ヒーター１２の加熱は、ヒーター１２と通電制御具１４を保護ケース１７の電源接続部１８で接続することにより、ヒーター１２が通電され加熱される。また、通電は、プレート１１下部に当接した温度調節部１６によりプレート１１の温度を感知し、通電制御される。
【００１３】
この際、通電制御具１４の接続部１５と保護ケース１７に設けた電源接続部１８の、接触抵抗が上昇し、発熱がおこる場合があり、この発熱は電源接続部１８に締め付けられた保持板１９に熱伝導し、保持板１９により保持された温度ヒューズ２０に熱が伝えられ、温度ヒューズ２０の検知温度に達すると、温度ヒューズ２０内のペレットが溶け、電流が切断される。これにより電源接続部１８の接触抵抗の上昇による発熱を検知し、通電制御具１４の外郭破損を防止することができる。
【００１４】
また、温度ヒューズ２０を１本とできることで、感度ばらつきがなく、コストを低減することができる。またさらに、温度ヒューズ２０を保持板１９で抱え込んだ構成とすることにより、温度ヒューズ２０と保持板１９の密着をよくすることができ温度検知感度を向上することができる。
【００１５】
（参考例１）
第１の参考例について説明する。図３および図４において、３１は調理物を載せて調理を行う被加熱器具であるプレート、３２はプレート３１を置載し、加熱する加熱体であるヒーター、３３はヒーター３２を支持しかつ覆う遮熱板、３４は商用電源からヒーター３２への接続部３５と温度調節を行う温度調節部３６とを有する通電制御具、３７は通電制御具３４とヒーター３２への電源接続をおこなう保護ケース、３８は保護ケース３７に設けた電源接続部、３９は電源接続部３８に締め付けられた弾性物質よりなる保持板であり、本実施例では弾性物質はバネ性燐青銅を用いる。４０は保持板３９によって保持された温度ヒューズ、４１は、遮熱板３３を覆い、保護ケース３７を置載するボデーである。
【００１６】
ここで、保持板３９は電源接続部３８ごとに保持板３９を接続し、それぞれの保持板３９ごとに温度ヒューズ４０を保持する。またさらに、温度ヒューズ４０は保持板３９により抱え込む。
【００１７】
上記構成において、調理物を載せて調理を行うプレート３１は、遮熱板３３により覆われ支持されたヒーター３２の上に置載して加熱される。ヒーター３２の加熱は、ヒーター３２と通電制御具３４を保護ケース３７の電源接続部３８で接続することにより、ヒーター３２が通電され加熱される。また、通電は、プレート３１下部に当接した温度調節部３６によりプレート３１の温度を感知し、通電制御される。
【００１８】
この際、通電制御具３４の接続部３５と保護ケース３７に設けた電源接続部３８の、接触抵抗が上昇し、発熱がおこる場合があり、この発熱は電源接続部３８に締め付けられた保持板３９に熱伝導し、保持板３９により保持された温度ヒューズ４０に熱が伝えられ、温度ヒューズ４０の検知温度に達すると、温度ヒューズ４０内のペレットが溶け、電流が切断される。これにより電源接続部３８の接触抵抗の上昇による発熱を検知し、通電制御具３４の外郭破損を防止することができる。
【００１９】
また、電源接続部３８ごとに保持板３９を接続し、それぞれの保持板３９ごとに温度ヒューズ４０を保持することにより、それぞれの電源接続部３８の接触抵抗の上昇により発生する熱を温度ヒューズ４０に効率よく熱伝導させ、温度ヒューズ４０の温度検知感度を向上でき、温度ヒューズ４０の通電切断動作により通電を停止し、通電制御具３４の破損を防止することができる。
【００２０】
またさらに、温度ヒューズ４０を保持板３９で抱え込んだ構成とすることにより、温度ヒューズ４０と保持板３９の密着をよくすることができ温度検知感度を向上することができる。
【００２１】
（実施例２）
第２の実施例について説明する。図５および図６において、５１は調理物を載せて調理を行う被加熱器具であるプレート、５２はプレート５１を置載し、加熱する加熱体であるヒーター、５３はヒーター５２を支持しかつ覆う遮熱板、５４は商用電源からヒーター５２への接続部５５と温度調節を行う温度調節部５６とを有する通電制御具、５７は通電制御具５４とヒーター５２への電源接続をおこなう保護ケース、５８は保護ケース５７に設けた電源接続部、５９は電源接続部５８に締め付けられた弾性物質よりなる保持板であり、本実施例では弾性物質はバネ性燐青銅を用いる。６０は保持板５９によって保持された温度ヒューズ、６１は、遮熱板５３を覆い、保護ケース５７を置載するボデーである。
【００２２】
ここで、保護ケース５７の電源接続部５８の一方に弾性物質よりなる保持板５９を接続し、他方に温度ヒューズ６０からのリード線６２を接続する。またさらに、温度ヒューズ６０は保持板５９により抱え込む。
【００２３】
上記構成において、調理物を載せて調理を行うプレート５１は、遮熱板５３により覆われ支持されたヒーター５２の上に置載して加熱される。ヒーター５２の加熱は、ヒーター５２と通電制御具５４を保護ケース５７の電源接続部５８で接続することにより、ヒーター５２が通電され加熱される。また、通電は、プレート５１下部に当接した温度調節部５６によりプレート５１の温度を感知し、通電制御される。
【００２４】
この際、通電制御具５４の接続部５５と保護ケース５７に設けた電源接続部５８の、接触抵抗が上昇し、発熱がおこる場合があり、この発熱は電源接続部５８に締め付けられた保持板５９に熱伝導し、保持板５９により保持された温度ヒューズ６０に熱が伝えられ、温度ヒューズ６０の検知温度に達すると、温度ヒューズ６０内のペレットが溶け、電流が切断される。これにより電源接続部５８の接触抵抗の上昇による発熱を検知し、通電制御具５４の外郭破損を防止することができる。
【００２５】
また、電源接続部５８からリード線により温度ヒューズ６０に接続する構成において、接触抵抗の上昇によって電源接続部５８で発生する熱をリード線により温度ヒューズ６０に熱伝導させ、温度ヒューズ６０の温度検知および通電切断動作により通電を停止し、通電制御具５４の破損を防止することができる。
【００２６】
また、保護ケース５７の電源接続部５８の一方に弾性物質よりなる保持板５９を接続し、他方に温度ヒューズ６０からのリード線６２を接続し、前記温度ヒューズ６０は保持板５９により保持することにより、温度ヒューズ６０保持構成を簡素化でき、異極である電源接続部５８からの温度ヒューズ６０への熱伝導構成による異極間の絶縁距離を十分確保することができる。
【００２７】
またさらに、温度ヒューズ６０を保持板５９で抱え込んだ構成とすることにより、温度ヒューズ６０と保持板５９の密着をよくすることができ温度検知感度を向上することができる。
【００２８】
（参考例２）
第２の参考例について説明する。図７および図８において、７１は調理物を載せて調理を行う被加熱器具であるプレート、７２はプレート７１を置載し、加熱する加熱体であるヒーター、７３はヒーター７２を支持しかつ覆う遮熱板、７４は商用電源からヒーター７２への接続部７５と温度調節を行う温度調節部７６とを有する通電制御具、７７は通電制御具７４とヒーター７２への電源接続をおこなう保護ケース、７８は保護ケース７７に設けた電源接続部、７９は電源接続部７８に締め付けられた弾性物質よりなる保持板であり、本実施例では弾性物質はバネ性燐青銅を用いる。８０は保持板７９によって保持された温度ヒューズ、８１は、遮熱板７３を覆い、保護ケース７７を置載するボデーである。
【００２９】
ここで、保持板７９は保護ケース７７の各電源接続部７８ごとに締め付けをおこない、それぞれの保持板７９で一個の温度ヒューズ８０を保持する。またさらに、温度ヒューズ８０は保持板７９により挟み込む。
【００３０】
上記構成において、調理物を載せて調理を行うプレート７１は、遮熱板７３により覆われ支持されたヒーター７２の上に置載して加熱される。ヒーター７２の加熱は、ヒーター７２と通電制御具７４を保護ケース７７の電源接続部７８で接続することにより、ヒーター７２が通電され加熱される。また、通電は、プレート７１下部に当接した温度調節部７６によりプレート７１の温度を感知し、通電制御される。
【００３１】
この際、通電制御具７４の接続部７５と保護ケース７７に設けた電源接続部７８の、接触抵抗が上昇し、発熱がおこる場合があり、この発熱は電源接続部７８に締め付けられた保持板７９に熱伝導し、保持板７９により保持された温度ヒューズ８０に熱が伝えられ、温度ヒューズ８０の検知温度に達すると、温度ヒューズ８０内のペレットが溶け、電流が切断される。これにより電源接続部７８の接触抵抗の上昇による発熱を検知し、通電制御具７４の外郭破損を防止することができる。
【００３２】
また、温度ヒューズ８０を１本とできることで、感度ばらつきがなく、コストを低減することができる。またさらに、温度ヒューズ８０を保持板７９で挟み込む構成とすることにより、温度ヒューズ８０全体への熱伝導を可能とし、温度検知感度を向上することができる。
【００３３】
【発明の効果】
上記から明らかなように、本発明によれば、保持板によって、接触抵抗の上昇により電源接続部で発生する熱を温度ヒューズに熱伝導させ、温度ヒューズの温度検知および通電切断動作により通電を停止し、通電制御具の破損を防止することができるとともに、温度ヒューズを１本とできることで、感度ばらつきがなく、コストを低減することができる。また、温度ヒューズと保持板の密着をよくすることができ温度検知感度を向上することができる。
【図面の簡単な説明】
【図１】本発明の実施例１における電気調理器の全体断面図
【図２】本発明の実施例１における温度ヒューズと保持板構成概略図
【図３】本発明の参考例１における電気調理器の全体断面図
【図４】本発明の参考例１における温度ヒューズと保持板構成概略図
【図５】本発明の実施例２における電気調理器の全体断面図
【図６】本発明の実施例２における温度ヒューズと保持板構成概略図
【図７】本発明の参考例２における電気調理器の全体断面図
【図８】本発明の参考例２における温度ヒューズと保持板構成概略図
【図９】従来の電気調理器の全体断面図
【符号の説明】
１、１１、３１、５１、７１  プレート
２、１２、３２、５２、７２  ヒーター
３、１３、３３、５３、７３  遮熱板
４、１４、３４、５４、７４  通電制御具
５、２１、４１、６１、８１  ボデー
６、１７、３７、５７、７７  保護ケース
７、１８、３８、５８、７８  電源接続部
１５、３５、５５、７５  接続部
１６、３６、５６、７６  温度調節部
１９、３９、５９、７９  保持板
２０、４０、６０、８０  温度ヒューズ
６２  リード線
【図１】
0003539341.tif 000002
【図２】
0003539341.tif 000003
【図３】
0003539341.tif 000004
【図４】
0003539341.tif 000005
【図５】
0003539341.tif 000006
【図６】
0003539341.tif 000007
【図７】
0003539341.tif 000008
【図８】
0003539341.tif 000009
【図９】
0003539341.tif 000010